(57)【要約】【課題】本発明の目的は、吸収性物品を廃棄する際に、トップシートが内側に折り畳まれた状態を保持することができる吸収性物品を提供することである。【解決手段】吸収性物品におけるバックシートの衣類側の表面に、吸収性物品の長手方向又は幅方向に延在する一以上の第一の接着部と、吸収性物品の長手方向両端部において、幅方向に延在する第二の接着部とを形成をする吸収性物品である。【選択図】図１
2018015463.tif 000002
【特許請求の範囲】
【請求項１】
液透過性のトップシートと、液不透過性のバックシートと、トップシート及びバックシートの間に配置された吸収体と、を有する吸収性物品であって、
前記バックシートの衣類側の表面には、前記吸収性物品の長手方向又は幅方向に延在する一以上の第一の接着部と、前記吸収性物品の長手方向両端部において、幅方向に延在する第二の接着部とが形成されている吸収性物品。
【請求項２】
前記第二の接着部が存在する領域又は前記第一の接着部と前記第二の接着部とに挟まれた領域において、前記吸収体が厚さ方向において存在していない、請求項１に記載の吸収性物品。
【請求項３】
前記第一の接着部と前記第二の接着部とに挟まれた領域における前記バックシートを、前記トップシート側に向けて折り返し可能である、請求項１又は２に記載の吸収性物品。
【発明の詳細な説明】
【技術分野】
【０００１】
本発明は、廃棄時に折り畳まれた状態を保持することができる吸収性物品に関する。
【背景技術】
【０００２】
一般的に吸収性物品には、テープ止めタイプ紙おむつ、軽失禁パッド、尿取りパッド、パンツタイプ紙おむつ等が知られており、これらの吸収性物品は着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
尿等の体液を吸収し、使用済みとなった吸収性物品は、ごみ箱等に廃棄される。ここで、トップシートを内側に折り畳んで廃棄すれば、肌に当接していなかったバックシート側が表面となる形で、使用済みとなったトップシートを隠して廃棄することができる。
【０００４】
ところが、薄手タイプの吸収性物品においては、高吸収性ポリマーシートの剛性が高く、さらに、体液を吸収した後には高吸収性ポリマーが膨潤して吸収性物品の厚みが増大する。そのため、トップシートを内側にして折り畳んだとしても、高吸収性ポリマーシートの剛性と体液を吸収した吸収性物品の厚みによって、折り畳む前の形態に復元しやすく、トップシートが隠れた状態を保持して廃棄することが難しい。
【０００５】
ここで、特許文献１には、バックシートの長手方向中央域に係合部材を設け、バックシートの前部域に固定手段を設けることで、吸収性物品を丸めて、係合部材と固定手段を接着することで、丸めたまま廃棄できる吸収性物品が開示されている。また、特許文献２には、面ファスナーによってバックシートに着脱可能なずれ止めテープを設けることで、ずれ止めテープをバックシートから剥離し、バックシートの端部と反対側のトップシートの端部とを挟持するようにずれ止めテープを接着し、吸収性物品を折り畳んでずれ止めテープの粘着層にトップシートを接着することで、吸収性物品を折り畳んだまま廃棄できる吸収性物品が開示されている。
【先行技術文献】
【特許文献】
【０００６】
【特許文献１】特開２００８−２３７２３１号公報
【特許文献２】特許第５８２７４５５号公報
【発明の概要】
【発明が解決しようとする課題】
【０００７】
しかし、特許文献１に開示の吸収性物品では、係合部材と固定手段との距離が短いため、トップシートを内側に折り畳むことでトップシートを隠すことができたとしても、係合部材と固定手段を接着することは困難である。さらに、体液を吸収し、厚みが増大した吸収性物品のトップシートを内側に丸めることは困難である上に、厚みの増大した吸収性物品におけるバックシートの長手方向中央域に係合手段が設けられているために、吸収性物品を丸めたとしても、折り畳む前の形態に復元しやすく、その状態を保持することは困難である。また、特許文献２に開示の吸収性物品では、ずれ止めテープをバックシートから剥離し、さらに、着用者自身が適切な場所にずれ止めテープを接着した後でなければ、吸収性物品を折り畳んだまま廃棄することができないため、不便である。
【０００８】
したがって、本発明は以上の課題に鑑みてなされたものであり、吸収性物品を廃棄する際に、トップシートが内側に折り畳まれた状態を保持することができる吸収性物品を提供することを目的とする。
【０００９】
本発明の発明者は、上記課題に鑑み、鋭意研究を行った。その結果、吸収性物品におけるバックシートの衣類側の表面に、吸収性物品の長手方向又は幅方向に延在する一以上の第一の接着部と、吸収性物品の長手方向両端部において、幅方向に延在する第二の接着部とを形成をすることにより、上記課題を解決できることを見出し、本発明を完成するに至った。
【課題を解決するための手段】
【００１０】
（１）  本発明の第１の態様は、液透過性のトップシートと、液不透過性のバックシートと、トップシート及びバックシートの間に配置された吸収体と、を有する吸収性物品であって、前記バックシートの衣類側の表面には、前記吸収性物品の長手方向又は幅方向に延在する一以上の第一の接着部と、前記吸収性物品の長手方向両端部において、幅方向に延在する第二の接着部とが形成されている吸収性物品である。
【００１１】
（２）  本発明の第２の態様は、（１）に記載の吸収性物品であって、前記第二の接着部が存在する領域又は前記第一の接着部と前記第二の接着部とに挟まれた領域において、前記吸収体が厚さ方向において存在していないことを特徴とする。
【００１２】
（３）  本発明の第３の態様は、（１）又は（２）に記載の吸収性物品であって、前記第一の接着部と前記第二の接着部とに挟まれた領域における前記バックシートを、前記トップシート側に向けて折り返し可能であることを特徴とする。
【発明の効果】
【００１３】
本発明の吸収性物品においては、バックシートの衣類側の表面に、吸収性物品の長手方向又は幅方向に延在する一以上の第一の接着部と、吸収性物品の長手方向両端部において、幅方向に延在する第二の接着部とが形成されている。これにより、吸収体が体液を吸収し、吸収性物品の厚みが増大した場合でも、トップシートを内側に折り畳み、第一の接着部と第二の接着部に挟まれた領域におけるバックシートをトップシート側に折り畳み、第二の接着部同士を接着することで、吸収性物品のトップシートが隠れた状態を保持することになる。そのため、トップシートが内側に折り畳まれた状態を保持して吸収性物品を廃棄することができる。
【図面の簡単な説明】
【００１４】
【図１】本発明の吸収性物品のバックシート側の平面図である。
【図２】本発明の吸収性物品において、トップシートが内側に折り畳まれ、第一の接着部と第二の接着部に挟まれた領域におけるバックシートがトップシート側に折り畳まれた状態を模式的に表わす側面図である。
【発明を実施するための形態】
【００１５】
以下、本発明について図面を参照して詳細に説明する。
【００１６】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向である。また、吸収性物品１の幅方向とは、長手方向に対して横又は直交する方向である。さらに、身体側表面とは、吸収性物品１の各部材の表裏両面のうち、着用時に着用者の肌側に配される面であり、衣類側表面とは、吸収性物品１の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよい。
【００１７】
吸収性物品１は、身体側表面に配された液透過性のトップシートと、トップシートに対向して配置された液不透過性のバックシート２１と、トップシートとバックシート２１との間に配置された吸収体２２と、を備えている。
【００１８】
［トップシート］
トップシートは、体液が吸収体へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシートには、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシートには、ローション、酸化防止剤、抗炎症成分、ｐＨ調整剤、抗菌剤、保湿剤等を含有させてもよい。
【００１９】
強度及び加工性の点から、トップシートの坪量は、１５ｇ／ｍ２以上４０ｇ／ｍ２以下であることが好ましい。トップシートの形状としては特に制限はないが、漏れがないように体液を吸収体へと誘導するために必要とされる、吸収体を覆う形状であればよい。
【００２０】
［バックシート］
バックシート２１は、吸収体２２が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２１】
強度及び加工性の点から、バックシート２１の坪量は、２０ｇ／ｍ２以上４０ｇ／ｍ２以下であることが好ましい。また、装着時の蒸れを防止するため、バックシート２１には、通気性を持たせることが好ましい。バックシート２１に通気性を備えさせるためには、例えば、基材の樹脂フィルムにフィラーを配合したり、バックシート２１にエンボス加工を施したりすればよい。なお、フィラーとしては炭酸カルシウムを挙げることができ、その配合方法は、公知の方法を制限なく行うことができる。
【００２２】
図１（ａ）及び（ｂ）に示すように、バックシート２１の衣類側の表面には、吸収性物品１の長手方向又は幅方向に延在する一以上の第一の接着部２１１と、吸収性物品１の長手方向両端部において、幅方向に延在する第二の接着部２１２とを形成する。吸収体２２が体液を吸収して厚さが増大し、吸収性物品１を折り畳むことが困難な場合でも、第二の接着部２１２は、吸収性物品１の長手方向両端部に形成されているため、第二の接着部２１２をトップシート側に折り畳むことは容易である。これにより、トップシートを内側に折り畳んだ後に、さらに、図２に示すように第二の接着部２１２をトップシート側に折り畳むことで、第二の接着部２１２同士を容易に接着することができ、トップシートが内側に折り畳まれた状態を保持して吸収性物品１を廃棄することができる。
【００２３】
（第一の接着部）
図１（ａ）及び（ｂ）に示すように、バックシート２１の衣類側の表面には、吸収性物品１の長手方向又は幅方向に延在する一以上の第一の接着部２１１を形成し、バックシート２１の長手方向又は幅方向に延在するように、複数列形成することが好ましく、バックシート２１の長手方向に等間隔に３列形成することが更に好ましい。第一の接着部２１１を形成することによって、吸収性物品１を下着に貼り付けて装着する場合に、吸収性物品１のずれを防止することができる。
【００２４】
（第二の接着部）
図１に示すように、バックシート２１の衣類側の表面には、吸収性物品１の長手方向両端部において、幅方向に延在する第二の接着部２１２を形成することが好ましい。これにより、吸収体２２が体液を吸収して厚さが増大し、吸収性物品１を折り畳むことが困難な場合でも、第二の接着部２１２は、吸収性物品１の長手方向両端部に形成されているため、第二の接着部２１２をトップシート側に容易に折り畳むことができる。
【００２５】
第二の接着部２１２が存在する領域又は第一の接着部２１１と第二の接着部２１２とに挟まれた領域において、吸収体２２が厚さ方向において存在していないことが好ましく、図２に示すように、第一の接着部２１１と第二の接着部２１２とに挟まれた領域におけるバックシート２１を、トップシート側に向けて折り返し可能であることが特に好ましい。これにより、吸収体２２が体液を吸収して厚さが増大しても、第二の接着部２１２は、吸収性物品１の長手方向両端部に形成され、かつ、第二の接着部２１２が存在する領域又は第一の接着部２１１と第二の接着部２１２とに挟まれた領域には、吸収体２２が厚さ方向において配置されていないことになる。そのため、吸収性物品１を折り畳むことが困難な場合でも、第二の接着部２１２をトップシート側により容易に折り畳むことができる。
【００２６】
第二の接着部２１２は、円形、楕円形、三角形等の形状でもよいが、短辺が２ｍｍ以上３０ｍｍ以下の矩形であることが好ましい。上記範囲であれば、吸収体２２と厚さ方向において重ならない範囲に第二の接着部２１２を配置することができる。
【００２７】
第一の接着部２１１及び第二の接着部２１２に用いる粘着剤は、特に制限なく用いることができるが、例えば、ポリアクリル酸エステル、酢酸ビニル−エチレン共重合体、酢酸ビニル−アクリル共重合体、ポリメチルメタクリレート、ポリスチレン、スチレンーアクリル系共重合体、ポリエステル樹脂、エポキシ樹脂、ブタジエン−スチレン共重合体等のホットメルト系粘着剤が挙げられる。これらを、１種のみを使用しても、複数をブレンドして使用してもよい。上記の粘着剤を、例えば、バックシート２１に塗布することで、第一の接着部２１１及び第二の接着部２１２を形成することができる。また、第一の接着部２１１と第二の接着部２１２とは、同じ粘着剤を用いてもよく、個別の粘着剤を用いてもよい。
【００２８】
第一の接着部２１１及び第二の接着部２１２に用いる粘着剤は、バックシート２１上に粘着剤を塗布するか、あるいは剥離シートに塗布した後、バックシート２１上に転写するなどによって形成される。
【００２９】
第一の接着部２１１及び第二の接着部２１２の上には、着脱可能に設けられた剥離シートが設けられていてもよい。剥離シートには、例えば、グラシン紙やパラフィン紙やシリコーン紙等の紙や、不織布等の繊維や樹脂シートが用いられる。なお、剥離シートは、第一の接着部２１１と第二の接着部２１２との上に一体として設けられていてもよく、個別に設けられていてもよく、折り畳まれた吸収性物品１が包装される包装シートを兼ねていてもよい。
【００３０】
［吸収体］
吸収体２２は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等のＢ−ＢＫＰ）、非木材パルプ等を綿状に解繊したものを挙げることができる。吸収体２２に吸収性繊維を使用する場合には、吸収体２２全体で、１００ｇ／ｍ２以上８００ｇ／ｍ２以下の坪量とすることが好ましい。なお、吸収体２２は、高圧プレスされた状態であってもよい。また、吸収体２２に吸収性繊維を使用しない場合には、ＳＡＰシートのみで構成されていてもよい。
【００３１】
吸収体２２の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２２のＳＡＰ量は、吸収体２２全体で、１０ｇ／ｍ２以上４００ｇ／ｍ２以下の坪量とすることが好ましく、１０質量％以上１００質量％以下の含有量とすることが好ましい。
【００３２】
吸収体２２において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。吸収体２２全体の坪量は、１００ｇ／ｍ２以上９００ｇ／ｍ２以下であることが好ましい。また、ＳＡＰ粒子の漏洩防止や吸収体の形状の安定化の目的から、吸収体２２をキャリアシートに包むことが好ましい。キャリアシートの基材としては親水性を有するものであればよく、ティシュ、吸収紙、エアレイド不織布、親水性スパンポンド不織布、親水性エアスルー不織布等の親水性不織布を挙げることができる。キャリアシートを複数備える場合は、キャリアシートの基材は同一のものであっても異なるものであってもよい。
【００３３】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２２を形成する工程、（Ｂ）トップシートと立体ギャザーをホットメルト系接着剤で固定・一体化する工程、（Ｃ）トップシート、立体ギャザー、及びバックシート２１の内側にホットメルト系接着剤を塗工する工程、（Ｄ）集合ドラムにおいて、吸収体２２の上部にトップシートを、吸収体２２の下部にバックシート２１を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において、吸収性物品１の半製品のバックシート２１に、第一の接着部２１１と第二の接着部２１２を形成すればよい。
【符号の説明】
【００３４】
１      吸収性物品
２１    バックシート
２２    吸収体
２１１  第一の接着部
２１２  第二の接着部
【図１】
2018015463.tif 000003
【図２】
2018015463.tif 000004